(57)【要約】【課題】  熱源機システムの作動を確認しながら当該熱源機システムの情報を参照するための手間を軽減することを、簡易な構成で実現できる熱源機システムを提供する。【解決手段】  熱源機システム２は、各リモコン３２〜３５には、発光素子４１と、該発光素子４１の発光を制御することにより、熱源機システム２の情報を表す光信号を、当該発光素子４１から出力させる機能を有する発光制御部４２とを備える。【選択図】  図１
2015021675.tif 000002
【特許請求の範囲】
【請求項１】
熱源機の運転制御を行う熱源機制御部と、前記熱源機制御部と情報信号を通信する端末機器とを備える熱源機システムであって、
前記端末機器は、発光素子と、該発光素子の発光を制御することにより、前記熱源機システムの情報を表す光信号を、当該発光素子から出力させる機能を有する発光制御部とを備えることを特徴とする熱源機システム。
【請求項２】
請求項１に記載の熱源機システムにおいて、
前記端末機器の外部で、当該端末機器の前記発光素子に対向して配置可能な受光素子と、
前記光信号を受光することで前記受光素子から出力される信号により、前記情報を取得する情報取得部と有する情報取得装置が、前記熱源機制御部及び前記端末機器とは別体に備えられていることを特徴とする熱源機システム。
【請求項３】
請求項１又は２に記載の熱源機システムにおいて、
前記熱源機システムは、浴室空調機と、浴室内に設置された浴室リモコンとを備え、
前記浴室リモコンは、前記端末機器であり、
前記浴室リモコンの前記発光制御部は、前記熱源機システムの情報として前記浴室空調機の情報を、前記熱源機制御部又は前記浴室空調機から取得し、当該取得した前記浴室空調機の情報を表す光信号を、当該発光素子から出力させる機能を有するように構成されていることを特徴とする熱源機システム。
【請求項４】
請求項１〜３のいずれか１項に記載の熱源機システムにおいて、
前記熱源機システムは、床暖房機と、台所内に設置された台所リモコンとを備え、
前記台所リモコンは、前記端末機器であり、
前記台所リモコンの前記発光制御部は、前記熱源機システムの情報として前記床暖房機の情報を、前記熱源機制御部又は前記床暖房機から取得し、当該取得した当該床暖房機の情報を表す光信号を、当該発光素子から出力させる機能を有するように構成されていることを特徴とする熱源機システム。
【発明の詳細な説明】
【技術分野】
【０００１】
本発明は、熱源機を備える熱源機システムに関する。
【背景技術】
【０００２】
従来、熱源機としての給湯器の運転制御を行う熱源機制御部に有線で接続することで、熱源機システムの情報（例えば、熱源機のメンテナンスに必要な情報）を、熱源機制御部から取得する情報取得装置としての機能検査システムが知られている（特許文献１）。
【先行技術文献】
【特許文献】
【０００３】
【特許文献１】特開平７−３６５３３号公報
【発明の概要】
【発明が解決しようとする課題】
【０００４】
特許文献１に記載されたような熱源機システムにおいては、熱源機制御部から熱源機システムの情報を取得する場合には、当該情報取得装置を、熱源機制御部に有線で接続する必要があった。このため、熱源機制御部及び情報取得装置に、これらの間を接続するケーブルのための接続端子が設けられている必要があり、製造コストが増大する要因となっていた。
【０００５】
更に、例えば、情報取得装置が、屋外に配置される熱源機制御部に接続された状態で、屋内に配置された熱源機システムの各種装置（例えば、風呂装置、給湯器等）の作動を確認しながら、熱源機システムの情報を確認したい場合には、２つの場所の各々に配置された人員が互いに連絡を取り合う必要があった。このように、熱源機システムの作動を確認しながら、当該熱源機システムの情報を参照するために手間がかかる場合があった。
【０００６】
本発明は、熱源機システムの作動を確認しながら当該熱源機システムの情報を参照するための手間を軽減することを、簡易な構成で実現できる熱源機システムを提供することを目的とする。
【課題を解決するための手段】
【０００７】
本発明は、熱源機の運転制御を行う熱源機制御部と、前記熱源機制御部と情報信号を通信する端末機器とを備える熱源機システムであって、前記端末機器は、発光素子と、該発光素子の発光を制御することにより、前記熱源機システムの情報を表す光信号を、当該発光素子から出力させる機能を有する発光制御部とを備えることを特徴とする。
【０００８】
本発明によれば、発光制御部が、端末機器の発光素子の発光を制御することで、熱源機システムの情報を表す光信号を、発光素子から出力することができる。これにより、接続コード及び接続端子等を必要とせずに、発光素子からの光信号を受光するという簡易な構成によって、熱源機システムの情報を取得できる。
【０００９】
従って、熱源機システムの作動を確認する場所（例えば、屋内）が、熱源機制御部が配置された場所（例えば、屋外）から離れた場所であっても、熱源機システムの作動を確認する場所に設けられた端末機器を介して熱源機システムの情報を取得できる。このため、熱源機システムの作動を確認しながら当該熱源機システムの情報を参照するための手間を軽減できる。
【００１０】
また、通常、熱源機システムの端末機器には、報知ランプ等の発光素子が備えられている。従って、本発明における発光素子として、端末機器が備えている既存の発光素子を、そのまま用いることができるので、より一層簡易な構成で、熱源機システムの情報を取得できる。
【００１１】
本発明において、前記端末機器の外部で、当該端末機器の前記発光素子に対向して配置可能な受光素子と、前記光信号を受光することで前記受光素子から出力される信号により、前記情報を取得する情報取得部と有する情報取得装置が、前記熱源機制御部及び前記端末機器とは別体に備えられていることが好ましい。
【００１２】
この構成によれば、発光素子から出力される光信号を受信するときには、まず、受光素子が発光素子に対向して配置される。そして、この状態で、発光素子から出力された光信号を受光素子が受光する。これにより、情報取得部は、受光素子が光信号を受光することで当該受光素子から出力される信号により、熱源機システムの情報を取得する。このように、熱源機システムの情報を取得するための専用の情報取得装置を用いることにより、当該熱源機システムの情報を効果的に取得できる。
【００１３】
本発明において、前記熱源機システムは、浴室空調機と、浴室内に設置された浴室リモコンとを備え、前記浴室リモコンは、前記端末機器であり、前記浴室リモコンの前記発光制御部は、前記熱源機システムの情報として前記浴室空調機の情報を、前記熱源機制御部又は前記浴室空調機から取得し、当該取得した前記浴室空調機の情報を表す光信号を、当該発光素子から出力させる機能を有するように構成されていることが好ましい。
【００１４】
ここで、浴室空調機は、浴室内の空調を行う装置である。
【００１５】
この構成によれば、浴室リモコンの発光素子から出力される光信号を受信するときには、まず、受光素子が、当該浴室リモコンの発光素子に対向して配置される。そして、この状態で、浴室リモコンの発光素子から出力された光信号を受光素子が受光する。このとき、情報取得部は、受光素子が光信号を受光することで当該受光素子から出力される信号により、浴室空調機の情報を取得できる。従って、浴室内で、浴室空調機による当該浴室内の空調の作動を確認しながら、当該浴室空調機の情報を参照できる。
【００１６】
本発明において、前記熱源機システムは、床暖房機と、台所内に設置された台所リモコンとを備え、前記台所リモコンは、前記端末機器であり、前記台所リモコンの前記発光制御部は、前記熱源機システムの情報として前記床暖房機の情報を、前記熱源機制御部又は前記床暖房機から取得し、当該取得した当該床暖房機の情報を表す光信号を、当該発光素子から出力させる機能を有するように構成されていることが好ましい。
【００１７】
ここで、床暖房機は、床暖房を行う装置であり、通常、台所又は当該台所に隣接するリビング等の床を温めるように構成される。
【００１８】
床暖房機の中には、当該床暖房機の運転操作用のリモコンを有していないものも存在する。このような場合において、台所リモコンの発光素子から出力される光信号を受信するときには、まず、受光素子が、当該浴室リモコンの発光素子に対向して配置される。そして、この状態で、台所リモコンの発光素子から出力された光信号を受光素子が受光する。このとき、情報取得部は、受光素子が光信号を受光することで当該受光素子から出力される信号により、床暖房機の情報を取得できる。
【００１９】
このように、床暖房機が、その運転操作用のリモコンを有していない場合であっても、当該床暖房機が温める床のある台所内、又は当該床暖房機が温める床のあるリビングに隣接する台所内で、当該床暖房機の作動を確認しながら、当該床暖房機の情報を参照できる。
【図面の簡単な説明】
【００２０】
【図１】本発明の実施形態の熱源機システムの構成図。
【図２】本実施形態の熱源機システムの情報取得装置及び端末機器の一例を示す図。
【発明を実施するための形態】
【００２１】
図１を参照して、本実施形態の熱源機システム２について説明する。
【００２２】
熱源機システム２は、給湯器２０と、当該給湯器２０の運転操作用のリモコンである台所リモコン３４とを備える。また、給湯器２０は、湯水を加熱する熱源機２１１と、当該熱源機２１１の運転制御を行う熱源機制御部２１２とを搭載した熱源機ユニット２１を備える。ここで、熱源機ユニット２１は、屋外に設置されている。
【００２３】
熱源機２１１は、詳細な図示は省略するが、例えば、バーナ及び熱交換器により湯水を加熱するように構成され、加熱した湯水を熱交換器から配管５４を介して台所給水口２０ａに供給する。
【００２４】
台所リモコン３４は、台所に設置されており、熱源機制御部２１２と通信可能に接続されている。
【００２５】
熱源機制御部２１２は、図示しない電子制御ユニット（ＣＰＵ，メモリ等により構成されている）により構成されている。熱源機制御部２１２は、台所給水口２０ａへの給湯を行う場合に、台所リモコン３４から入力される情報信号（例えば、目標給湯温度を表す情報信号）等に基づいて熱源機２１１を制御する（詳細には、熱源機２１１による湯水の加熱量を制御する）。これにより、熱源機制御部２１２は、熱源機２１１から台所給水口２０ａに供給される湯水の温度を制御する。
【００２６】
更に、熱源機システム２は、給湯以外の機能を実現するための装置を含んでいる。例えば、熱源機システム２は、風呂装置２２と、当該風呂装置２２の運転操作用のリモコンである浴室リモコン３２と、浴室空調機２３と、当該浴室空調機２３の運転操作用のリモコンである浴室空調リモコン３３と、床暖房機２５と、当該床暖房機２５の運転操作用のリモコンである床暖房リモコン３５とを備える。
【００２７】
風呂装置２２は、浴室内に設置された浴槽２２ｂの湯はり、浴槽２２ｂ内の湯水の追い炊き、及び浴室内に設置された浴室給水口２２ａからの給湯を行う装置である。
【００２８】
風呂装置２２は、熱源機ユニット２１の熱源機２１１によって加熱された湯水が、熱源機２１１の熱交換器から配管５２を介して浴槽２２ｂ又は浴室給水口２２ａに供給され、或いは、熱源機２１１の熱交換器と浴槽２２ｂとの間で配管５２を介して循環するように構成されている。
【００２９】
浴室リモコン３２は、浴室に設置されており、熱源機制御部２１２と通信可能に接続されている。
【００３０】
熱源機制御部２１２は、風呂装置２２の運転時に、浴室リモコン３２から入力される情報信号（例えば、目標湯はり温度、目標追い炊き温度及び目標給湯温度等を表す情報信号）等に基づいて熱源機２１１を制御する。これにより、熱源機制御部２１２は、熱源機２１１から浴槽２２ｂ又は浴室給水口２２ａに供給される湯水の温度、或いは、熱源機２１１と浴槽２２ｂとの間で循環する湯水の温度を制御する。
【００３１】
浴室空調機２３は、浴室の暖房、乾燥等を行う装置である。浴室空調機２３は、浴室内に送風する空気を加熱する放熱部２３ａを有し、熱源機ユニット２１の熱源機２１１によって加熱された湯水が、該放熱部２３ａと熱源機２１１との間で配管５３を介して循環するように構成されている。更に、浴室空調機２３は、放熱部２３ａで加熱された空気をファン２３ｂにより浴室内に送風するように構成されている。
【００３２】
浴室空調リモコン３３は、浴室に隣接した脱衣所に設置されており、浴室空調機２３を介して熱源機制御部２１２と通信可能に接続されている。
【００３３】
熱源機制御部２１２は、浴室空調機２３の運転時に、浴室空調リモコン３３から浴室空調機２３を介して入力される情報信号（例えば、目標空調温度及び浴室乾燥機能の設定状態等を表す情報信号）等に基づいて熱源機２１１を制御する。これにより、熱源機制御部２１２は、熱源機２１１と放熱部２３ａとの間で循環する湯水の温度を制御する。
【００３４】
床暖房機２５は、例えば、台所及び当該台所に隣接するリビングの床暖房を行う装置である。床暖房機２５は、台所及びリビングの床下に設置された放熱部２５ａを有し、熱源機ユニット２１の熱源機２１１によって加熱された湯水が、該放熱部２５ａと熱源機２１１との間で配管５５を介して循環するように構成されている。
【００３５】
床暖房リモコン３５は、リビングに設置されており、床暖房機２５を介して熱源機制御部２１２と通信可能に接続されている。
【００３６】
熱源機制御部２１２は、床暖房機２５の運転時に、床暖房リモコン３５から床暖房機２５を介して入力される情報信号（例えば、床暖房の目標設定温度等を表す情報信号）等に基づいて、熱源機２１１と放熱部２５ａとの間を循環する湯水の温度を制御する。
【００３７】
また、各リモコン３２〜３５は、発光素子４１と、発光制御部４２と、操作部４３とを備える。
【００３８】
発光素子４１は、本実施形態においては、発光ダイオードである。なお、発光素子は、発光ダイオード以外の発光素子であってもよい。
【００３９】
発光制御部４２は、図示しない電子制御ユニット（ＣＰＵ，メモリ等により構成されている）により構成されている。発光制御部４２は、当該熱源機システム２の通常の運転時（当該熱源機システム２の情報を後述する如く取得するとき以外の運転時）において、熱源機システム２の運転状態等を利用者に対して報知させるように、発光素子４１の発光を制御する。
【００４０】
例えば、発光制御部４２は、各リモコン３２，３３，３４，３５による運転操作の対象となる各装置２２，２３，２０，２５（以下、単に「リモコンに対応する装置」という）が作動中のときに発光素子４１を点灯させる。
【００４１】
操作部４３は、操作ボタン（例えば、図２に示される４３ａ等）を備えており、当該操作ボタンが操作されることで、リモコンに対応する装置を制御するための制御情報（例えば、目標給湯温度、目標浴室空調温度等）を設定できる。
【００４２】
各リモコン３２〜３５の上記構成は、既存のリモコンの構成として一般的に用いられているような構成である。
【００４３】
本実施形態の各リモコン３２〜３５は、上記構成に加え、発光制御部４２の機能として以下に示される追加機能を更に有している。
【００４４】
ここで、追加機能とは、熱源機システム２の情報を表す光信号（発光状態（発光しているか否か、又は発光量）の変化によって表される信号）を、当該発光素子４１から出力させる機能である。
【００４５】
このとき、各リモコン３２〜３５の発光素子４１からは、当該リモコンに対応する装置の情報を表す光信号だけではなく、当該リモコンに対応する装置以外の装置の情報を表す光信号を出力することもできる。
【００４６】
熱源機システム２の情報は、例えば、各装置２０，２２，２３，２５に備えられたセンサ（図示省略）等が検知した周辺環境又は当該装置の動作に関する情報、該検知した情報の履歴、エラー情報、又は各リモコン３２〜３５で設定された情報等である。
【００４７】
この追加機能は、既存のリモコン及び熱源機ユニットの少なくともいずれかのソフトウェア部分（発光制御部４２及び熱源機制御部２１２の少なくともいずれかの制御プログラム等）を変更するだけで、実現することができる。
【００４８】
このように、本実施形態の各リモコン３２〜３５の発光素子４１としては、一般的なリモコンが備えている既存の発光素子を、そのまま用いることができる。
【００４９】
ここで、本実施形態では、台所リモコン３４と、浴室リモコン３２と、浴室空調リモコン３３と、床暖房リモコン３５との各々は、本発明の端末機器に相当する。
【００５０】
また、熱源機システム２は、情報取得装置１を備える。情報取得装置１は、熱源機システム２とは別体に設けられており、受光素子１１と、情報取得部１２と、表示部１３とを備える。受光素子１１、情報取得部１２及び表示部１３は、携帯可能な筐体１０に搭載されている。
【００５１】
受光素子１１は、本実施形態においては、フォトダイオードである。なお、受光素子は、フォトダイオード以外の受光素子であってもよい。
【００５２】
情報取得部１２は、図示しない電子制御ユニット（ＣＰＵ，メモリ等により構成されている）により構成されている。情報取得部１２は、リモコン３２〜３５のいずれかの発光素子４１からの光信号を受光することで受光素子１１から出力される信号（以下、「受光信号」という）により、光信号で表される熱源機システム２の情報を取得する。
【００５３】
表示部１３は、情報取得部１２が取得した熱源機システム２の情報を表示する。なお、表示部１３は、情報取得装置１のユーザー（例えば、メンテナンス業者等）に対して、熱源機システム２の情報を報知できる報知部であればよい。例えば、情報取得装置は、報知部として、表示部１３を備える代わりに、熱源機システム２の情報を表す音声を再生させる音再生部を備えていてもよい。
【００５４】
次に、情報取得装置１を用いて、各リモコン３２〜３５のいずれかを介して、熱源機システム２の情報を取得する際の手順（以下、「情報取得手順」という）について説明する。
【００５５】
情報取得手順は、以下の２つの形態に大別される。
【００５６】
第１情報取得手順：所定のリモコン（以下、「情報取得用リモコン」という）を介して、当該情報取得用リモコンに対応する装置の情報を取得する手順。
【００５７】
第２情報取得手順：情報取得用リモコンを介して、当該情報取得用リモコンに対応する装置以外の装置の情報を取得する手順。
【００５８】
なお、上記第１情報取得手順及び第２情報取得手順は、各リモコン３２〜３５のいずれを介する場合でも基本的に同様である。そこで、以下の説明では、「情報取得用リモコン」が浴室リモコン３２である場合を代表例として説明する。
【００５９】
まず、第１情報取得手順について説明する。
【００６０】
情報取得装置１のユーザーは、浴室内において、浴室リモコン３２の操作部４３に対して、風呂装置２２の情報を表す光信号を出力させるための操作（以下、「第１情報取得操作」という）を行う。第１情報取得操作としては、例えば、所定の複数の操作ボタンを同時に押す等の操作が予め規定されている。
【００６１】
第１情報取得操作に応じて浴室リモコン３２の発光制御部４２は、風呂装置２２の情報を、熱源機制御部２１２又は当該浴室リモコン３２のメモリ（図示省略）等から取得する。そして、浴室リモコン３２の発光制御部４２は、風呂装置２２の情報を表す光信号を、浴室リモコン３２の発光素子４１から出力する。
【００６２】
図２では、浴室リモコン３２の左端の操作ボタン４３ａに付設された発光素子４１から光信号が出力される例を例示している。なお、浴室リモコン３２に複数の発光素子が設けられている場合には、少なくともそのいずれかの発光素子が、光信号を出力するように構成されていればよい。
【００６３】
また、情報取得装置１のユーザーは、情報取得装置１の受光素子１１を、浴室リモコン３２の外部で、当該浴室リモコン３２の発光素子４１に対向させるように配置する（図２参照）。そして、この状態で、浴室リモコン３２の発光素子４１から出力された光信号を、受光素子１１が受光する。このとき、情報取得部１２は、光信号を受光することで受光素子１１から出力される受光信号により、風呂装置２２の情報を取得する。そして、情報取得部１２は、当該取得した情報を表示部１３に表示させる。
【００６４】
このように、情報取得装置１のユーザーは、浴室内で、当該浴室の風呂装置２２の作動を確認しながら風呂装置２２の情報を参照することができる。従って、風呂装置２２の作動の確認をしながら風呂装置２２の情報を参照する手間を軽減できる。
【００６５】
また、上記第１情報取得手順と同様の手順によって、浴室空調機２３の情報を浴室空調リモコン３３を介して取得したり、給湯器２０の情報を台所リモコン３４を介して取得したり、床暖房機２５の情報を床暖房リモコン３５を介して取得することもできる。
【００６６】
次に、第２情報取得手順について説明する。ここでは、情報取得用リモコンに対応する装置以外の装置が、浴室空調機２３である場合を代表例として説明する。
【００６７】
情報取得装置１のユーザーは、浴室内において、浴室リモコン３２の操作部４３に対して、浴室空調機２３の情報を表す光信号を出力させるための操作（以下、「第２情報取得操作」という）を行う。第２情報取得操作としては、例えば、所定の複数の操作ボタンを同時に押す等の操作が予め規定されている。但し、第２情報取得操作は、第１情報取得操作とは異なる操作である。
【００６８】
第２情報取得操作に応じて浴室リモコン３２の発光制御部４２は、浴室空調機２３の情報を、熱源機制御部２１２又は当該浴室空調機２３を介して取得する。そして、浴室リモコン３２の発光制御部４２は、当該取得した浴室空調機２３の情報を表す光信号を、当該浴室リモコン３２の発光素子４１から出力させる。
【００６９】
また、情報取得装置１のユーザーは、情報取得装置１の受光素子１１を、浴室リモコン３２の外部で、当該浴室リモコン３２の発光素子４１に対向させるように配置する。そして、この状態で、浴室リモコン３２の発光素子４１から出力された光信号を、受光素子１１が受光する。このとき、情報取得部１２は、光信号を受光することで受光素子１１から出力される受光信号により、浴室空調機２３の情報を取得する。そして、情報取得部１２は、当該取得した情報を表示部１３に表示させる。
【００７０】
このように、浴室外に設置された浴室空調リモコン３３によって運転操作が行われる浴室空調機２３の情報を、浴室内に設置された浴室リモコン３２を介して取得できる。従って、情報取得装置１のユーザーは、浴室内で、浴室空調機２３による当該浴室内の空調の作動を確認しながら、当該浴室空調機２３の情報を参照できる。
【００７１】
また、上記第２情報取得手順と同様の手順によって、浴室リモコン３２を介して給湯器２０又は床暖房機２５の情報を取得したり、浴室空調リモコン３３を介して風呂装置２２、給湯器２０又は床暖房機２５の情報を取得することもできる。また、上記第２情報取得手順と同様の手順によって、台所リモコン３４を介して風呂装置２２、浴室空調機２３又は床暖房機２５の情報を取得したり、床暖房リモコン３５を介して風呂装置２２、浴室空調機２３又は給湯器２０の情報を取得することもできる。
【００７２】
以上のように構成された情報取得装置１を、例えば、熱源機システム２をメンテナンスする際に、当該メンテナンスに必要な情報として熱源機システム２の情報を取得する場合に用いることができる。
【００７３】
このとき、各リモコン３２〜３５と情報取得装置１との間の情報信号は、光通信によって通信される。従って、情報取得装置１は、熱源機制御部又は端末機器と接続するための、接続コード及び接続端子等を必要としない。このため、簡易な構成によって、熱源機システム２の情報を取得できる。更に、接続コード及び接続端子等が不要であるので、熱源機システム２及び情報取得装置１の製造コストの増加を抑制できる。
【００７４】
また、熱源機システム２の情報をいずれのリモコン３２〜３５の近くでも確認できる。従って、熱源機システム２の作動を確認しながら当該熱源機システム２の情報を参照するための手間を軽減できる。
【００７５】
特に、浴室空調機２３の情報については、浴室空調機２３用のリモコンではない浴室リモコン３２を介して取得できる。すなわち、浴室内において、当該浴室内の空調の作動を確認しながら、浴室内に配置された浴室リモコン３２を介して浴室空調機２３の情報を参照でき、効果的である。
【００７６】
ところで、熱源機システムの端末機器（各種リモコン）には、報知ランプ等の発光素子が備えられているのが一般的である。従って、本実施形態における発光素子４１として、端末機器が備えている既存の発光素子を、光通信を行う通信機器として、そのまま用いることができる。
【００７７】
このため、既存の端末機器が有する発光制御部のソフトウェア部分に、前述した追加機能を追加するだけで、本実施形態の端末機器（各リモコン３２〜３５）を構成することができる。このように、新たなハードウェアの追加が不要となり、より一層簡易な構成で、熱源機システム２の情報を取得できる。
【００７８】
なお、本実施形態においては、熱源機システム２が、床暖房機２５の運転操作用のリモコンとして床暖房リモコン３５を備えている構成であった。しかしながら、床暖房リモコンを備えていないように構成された熱源機システムも存在する。このような熱源機システムにおいては、床暖房機２５の情報を取得する場合において、情報取得用リモコンを台所リモコン３４とし、情報取得用リモコンに対応する装置以外の装置を床暖房機２５とすればよい。
【００７９】
これにより、床暖房機２５が、その運転操作用のリモコンを有していない場合であっても、熱源機制御部２１２又は当該床暖房機２５から床暖房機２５の情報を取得できる。従って、当該床暖房機２５が配置されている台所内か、又は当該床暖房機２５が配置されているリビングに隣接する台所内で、当該床暖房機２５の作動を確認しながら、当該床暖房機２５の情報を参照できる。
【００８０】
また、本実施形態では、各リモコン３２〜３５が、本発明の端末機器として構成されているが、全てのリモコンが本発明の端末機器として構成されていなくともよい。例えば、浴室内の空調を行う浴室空調機２３の情報は、浴室内に設置された浴室リモコン３２を介して取得できる。このため、本実施形態の浴室空調リモコン３３は、前述した追加機能が省略された既存のリモコン（光信号を出力する機能を有していないリモコン）であってもよい。
【００８１】
また、本実施形態においては、情報取得装置１が受光素子１１を備え、端末機器としての各リモコン３２〜３５が発光素子４１を備えている構成であった。しかしながら、情報取得装置及び端末機器のいずれもが、受光素子及び発光素子を備えているように構成されていてもよい。このように構成されている場合には、情報取得装置と端末機器との間で、双方向に光通信ができる。
【００８２】
更に、このような構成においては、端末機器の操作として前述した第１情報取得操作及び第２情報取得操作のような操作を不要にできる。詳細には、情報取得装置側に設けられた操作スイッチの所定の操作によって、当該情報取得装置の発光素子から端末機器の受光素子に向かって、各種熱源機システムの情報を要求することを表す光信号を出力する。そして、端末機器の発光制御部は、当該光信号を端末機器の受光素子が受光することで出力される信号に応じて、各種熱源機システムの情報を表す光信号を、当該端末機器の発光素子から出力させる。
【００８３】
また、発光素子として、発光ダイオードのように、受光素子としても機能する発光素子を用いる場合には、当該発光素子（発光ダイオード）に加え、発光用回路と受光検知用回路とを設けるだけで、発光素子と受光素子との２つの別体の素子を備えずとも、１つの素子のみで双方向の光通信ができる。これにより、情報取得装置及び端末機器の各々において、発光ダイオードと、発光用回路と、受光検知用回路とを設けることにより、情報取得装置と端末機器との間で双方向の光通信を行う場合における部品点数の増加（ひいては製造コストの増加）を抑制できる。
【００８４】
また、発光素子として発光ダイオードを用いる場合には、発光制御部が、視覚的には点灯状態と認識されるように当該発光ダイオードを高速で点滅させて光信号を出力させるように構成されていてもよい。この場合には、運転中に随時、光信号を発光ダイオードから出力できるので、前述した第１情報取得操作及び第２情報取得操作のような操作をせずとも、熱源機システムの情報を取得するように構成することもできる。この場合には、当該熱源機システムの情報を参照するための手間を更に軽減できる。
【符号の説明】
【００８５】
１…情報取得装置、１１…受光素子、１２…情報取得部、２…熱源機システム、２０…給湯器、２１１…熱源機、２１２…熱源機制御部、２２…風呂装置、２３…浴室空調機、２５…床暖房機、３２…浴室リモコン、３３…浴室空調リモコン、３４…台所リモコン、４１…発光素子、４２…発光制御部。
【図１】
2015021675.tif 000003
【図２】
2015021675.tif 000004